(57)【要約】【課題】カメラによって撮影される撮影画像への指の写り込みを好適に防止できる携帯端末を提供する。【解決手段】携帯端末１では、カメラ１７にて画像を撮影しようとする際、カメラ１７のレンズ１７ａの周囲に指Ｆが接触していると静電パッド１８よって検知された場合には、カメラ１７の撮影画像を表示するディスプレイ１６において撮影画像に指Ｆが写り込んでいることを示す注意喚起を表示制御部２３が表示させる。これにより、ユーザは、指Ｆが写り込んでいることを撮影画像が表示されるディスプレイ１６にて確認できる。また、レンズ１７ａの周囲への指の接触により指を検知しているため、画像処理といった検出方法によって生じる指の誤検出を防止でき、精度の向上を図ることができる。その結果、カメラ１７によって撮影される撮影画像に指Ｆが写り込むことを好適に防止できる。【選択図】図７
2011217101.tif 000002
【特許請求の範囲】
【請求項１】
カメラが搭載された携帯端末であって、
前記カメラのレンズの周囲に設けられ、指の接触を検知する接触検知手段と、
前記カメラによって撮影される撮影画像を表示する表示手段と、
前記接触検知手段によって前記指の接触が検知された場合に、前記撮影画像に前記指が写り込んでいることを示す情報を前記表示手段に表示させる表示制御手段とを備えることを特徴とする携帯端末。
【請求項２】
前記接触検知手段は、前記カメラの画角に前記指が入り込む範囲において前記指を検知するように接触領域が設定されていることを特徴とする請求項１記載の携帯端末。
【請求項３】
前記接触検知手段は、静電パッドであることを特徴とする請求項１又は２記載の携帯端末。
【発明の詳細な説明】
【技術分野】
【０００１】
本発明は、カメラが搭載された携帯端末に関する。
【背景技術】
【０００２】
近年、多くの携帯電話機にカメラが搭載されている。このような携帯電話機では、カメラにて撮影される撮影画像をディスプレイに表示されるライブビューを確認して撮影を行うため、カメラのレンズは、携帯電話機の背面側に設けられていることが多い。そのため、カメラによって被写体を撮影する際、端末を持つ指が撮影画像に写り込んでしまうことがある。特に、携帯電話機でのカメラ撮影に慣れていないユーザは、撮影時において撮影画像に指が写り込んでいることに気付かない場合が多い。
【０００３】
この問題に関して、例えば特許文献１に記載の撮像装置では、ユーザの指がカメラのレンズの表面に接触することを防止するために、レンズ表面よりも突出する接触防止部をカメラレンズの周囲に設けている。これにより、この撮像装置では、レンズへの指の接触防止、つまり撮影画像への指の写り込みの防止が図られている。
【０００４】
また、特許文献２に記載の撮像装置では、撮影画像の周縁に沿った位置に不要画像検出領域を設定すると共に、フォーカスレンズを徐々に移動させて撮影画像の画像信号を基にコントラストを設定し、不要画像検出領域の画像信号に基づいて算出されたコントラストがフォーカスレンズを移動させている間にピークを持つ場合に、撮影画像に不要画像が写り込んでいると判定している。
【先行技術文献】
【特許文献】
【０００５】
【特許文献１】特開２００７−３１０００１号公報
【特許文献２】特開２００９−４９６５９号公報
【発明の概要】
【発明が解決しようとする課題】
【０００６】
しかしながら、上記特許文献１に記載の撮像装置では、ユーザが撮影に集中している場合、指が接触防止部に接触していることに気付かないことがある。この問題の対策として、接触防止部を大きくしてユーザが気付き易いようにすることが考えられるが、意匠性の低下や装置の大型化といった問題が生じる。
【０００７】
また、上記特許文献２に記載の撮像装置では、撮影画像のコントラストに基づいて指（不要画像）の写り込みを検出しているため、手前の被写体へのピントをずらしてぼやかし、奥の被写体にピントを合わせるといった撮影を行う場合にあっては、手前の被写体を指であると誤検出してしまうといった問題があった。
【０００８】
本発明は、上記課題を解決するためになされたものであり、カメラによって撮影される撮影画像への指の写り込みを好適に防止できる携帯端末を提供することを目的とする。
【課題を解決するための手段】
【０００９】
上記課題を解決するために、本発明に係る携帯端末は、カメラが搭載された携帯端末であって、カメラのレンズの周囲に設けられ、指の接触を検知する接触検知手段と、カメラによって撮影される撮影画像を表示する表示手段と、接触検知手段によって指の接触が検知された場合に、撮影画像に指が写り込んでいることを示す情報を表示手段に表示させる表示制御手段とを備えることを特徴とする。
【００１０】
この携帯端末では、カメラにて画像を撮影しようとする際、カメラのレンズの周囲に指が接触していることが接触検知手段よって検知された場合には、カメラの画像を表示する表示手段に撮影画像に指が写り込んでいることを示す情報を表示制御手段が表示させる。これにより、ユーザは、指が写り込んでいることを撮影画像が表示される表示手段にて確認できる。また、レンズの周囲への指の接触により指を検知しているため、画像処理といった検出方法によって生じる指の誤検出を防止でき、精度の向上を図ることができる。その結果、カメラによって撮影される撮影画像に指が写り込むことを好適に防止できる。
【００１１】
また、接触検知手段は、カメラの画角に指が入り込む範囲において指を検知するように接触領域が設定されていることが好ましい。接触検知手段の接触領域を広くすると、撮影画像に指が写り込むことを確実に防止できる一方、接触面積が大きくなるため撮影する際に端末を持つ位置が限られてしまう。そこで、カメラの画角に指が入り込む範囲において指を検知するように接触領域を設定することで、撮影画像への指の写り込みを確実に防止できると共に、ユーザの利便性を確保することができる。
【００１２】
また、接触検知手段は、静電パッドであることが好ましい。このような構成によれば、ユーザの指の接触を良好に検知することができる。また、カメラのレンズ表面と略面一となるように配置できるため、例えば端末の背面から接触検知手段が突出するといった意匠性の低下や装置の増大を防止できる。
【発明の効果】
【００１３】
本発明によれば、カメラによって撮影される撮影画像に指が写り込むことを好適に防止できる。
【図面の簡単な説明】
【００１４】
【図１】本発明の一実施形態に係る携帯端末の構成を示す図である。
【図２】携帯端末のハードウェア構成を示す図である。
【図３】静電パッドの配置位置を示す図である。
【図４】カメラにて画像を撮影する状態を示す図である。
【図５】静電パッドの接触領域を示す図である。
【図６】注意喚起表示の一例を示す図である。
【図７】携帯端末の動作を示すフローチャートである。
【発明を実施するための形態】
【００１５】
以下、図面を参照しながら、本発明の好適な実施形態について説明する。
【００１６】
図１は、本発明の一実施形態に係る携帯端末の構成を示す図である。図１に示すように、携帯端末１は、制御部２を備えている。この制御部２は、カメラ制御部２１と、静電パッド制御部２２と、表示制御部（表示制御手段）２３とを有している。また、制御部２には、操作部１４と、ディスプレイ（表示手段）１６と、カメラ１７と、静電パッド（接触検知手段）１８とが接続されている。携帯端末１は、例えばカメラ１７を搭載した携帯電話機である。
【００１７】
図２は、携帯端末１のハードウェア構成を示す図である。図２に示すように、携帯端末１は、ＣＰＵ（Central Processing Unit）１１、ＲＡＭ（Random Access Memory）１２、ＲＯＭ（Read OnlyMemory）１３、操作部１４、無線通信部１５、ディスプレイ１６、カメラ１７、静電パッド１８及びアンテナ１９等のハードウェアにより構成されている。これらの構成要素が動作することにより、以下に説明する携帯端末１の各機能が発揮される。
【００１８】
操作部１４は、ユーザからの入力を受け付ける部分である。この操作部１４は、例えばキーボードやタッチパネルであり、ユーザからの入力に応じた信号を出力する。具体的には、操作部１４は、ユーザによってカメラ１７の起動を指示する所定の操作が行われた場合には、カメラ１７の起動を指示する起動信号をカメラ制御部２１、静電パッド制御部２２及び表示制御部２３に出力する。また、操作部１４は、ユーザによってカメラ１７の終了を指示する所定の操作が行われた場合には、カメラ１７の終了を指示する終了信号をカメラ制御部２１、静電パッド制御部２２及び表示制御部２３に出力する。
【００１９】
ディスプレイ１６は、画像を表示する部分である。このディスプレイ１６は、後述する表示制御部２３の制御に応じて表示を行う。具体的には、ディスプレイ１６は、表示制御部２３の制御により画像やテキスト（文章）を表示を行う。また、ディスプレイ１６は、カメラ１７による撮影の際に、カメラ１７にて撮影される撮影画像を表示するライブビュー機能を実現する。
【００２０】
カメラ１７は、所定の光学系（レンズ１７ａ等）および受像素子を有し、デジタル画像を取得する機能を有する部分である。カメラ１７は、例えば携帯端末１において操作部１４の背面側に設けられている（図４参照）。このカメラ１７は、ディスプレイ１６で撮影画像を表示しながら撮影するものである。カメラ１７は、後述するカメラ制御部２１により起動・終了が制御されている。なお、カメラ１７は、取得した被写体像から設定された撮影条件で画像データを生成し、生成された画像データを画像記憶部（図示しない）へ出力する機能を有している。
【００２１】
静電パッド１８は、ユーザの指の接触を検知する部分である。この静電パッド１８は、図３に示すように、カメラ１７におけるレンズ１７ａの周囲に設けられている。静電パッド１８は、列電極層、行電極層、及び、これらの列電極層と行電極層との間に配置された誘電体層を有している。列電極層には、列方向に延びる複数の列電極が行方向に並置されており、行電極層には行方向に延びる複数の行電極が列方向に並置されている。これらの列電極及び行電極が配列された領域が接触領域Ａとなっている。静電パッド１８は、ユーザによる接触領域Ａに対する接触を検知している間、接触を示す接触信号を静電パッド制御部２２に出力する。
【００２２】
より具体的には、静電パッド１８では、列電極と行電極とが交差する部分がそれぞれコンデンサを構成しており、コンデンサの静電容量がそれぞれユーザの接触操作により変化することによって、そのコンデンサを構成する列電極と行電極との電位が変化する。このように、静電パッド１８は、コンデンサの静電容量の変化、すなわち列電極と行電極との電位の変化を検知して、ユーザによる接触領域Ａに対する接触を検知する。
【００２３】
ここで、カメラ１７で撮影を行う場合には、ユーザによって携帯端末１が図４に示すような状態で把持される。このとき、ユーザの指Ｆは、カメラ１７の近傍に位置する。そこで、上記構成を有する静電パッド１８は、カメラ１７の画角（実際にカメラに写る範囲）内に指Ｆが入り込む範囲において指Ｆの接触を検知するように接触領域Ａが設定されている。具体的には、図５（ａ）に示すように、静電パッド１８の接触領域Ａは、ユーザの指Ｆがカメラ１７の画角Ｇ内に入り込まない位置に存在する場合には、指Ｆとの接触点Ｐが接触範囲内とならないように設定されている。一方、図５（ｂ）に示すように、静電パッド１８の接触領域Ａは、ユーザの指Ｆがカメラ１７の画角Ｇ内に入り込んだ位置に存在する場合には、指Ｆの接触点Ｐが接触範囲内となるように設定されている。なお、指Ｆの太さ等はユーザによってまちまちであるため、接触領域Ａは、様々なユーザに対応するための条件を考慮して設定されている。
【００２４】
続いて、携帯端末１における制御部２の機能について説明する。
【００２５】
カメラ制御部２１は、カメラ１７の起動・終了（ＯＮ／ＯＦＦ）を制御する部分である。このカメラ制御部２１は、操作部１４から出力された起動信号を受け取ると、カメラ１７を起動させる。一方、カメラ制御部２１は、操作部１４から出力された終了信号を受け取ると、カメラ１７を終了させる。
【００２６】
静電パッド制御部２２は、静電パッド１８の起動・終了（ＯＮ／ＯＦＦ）を制御する部分である。静電パッド制御部２２は、操作部１４から出力された信号に応じて、静電パッド１８の動作を制御する。具体的には、静電パッド制御部２２は、操作部１４から出力された起動信号を受け取ると、静電パッド１８を起動させる。また、静電パッド制御部２２は、操作部１４から出力された終了信号を受け取ると、静電パッド１８の動作を終了させる。
【００２７】
また、静電パッド制御部２２は、静電パッド１８から出力される信号に応じて、表示制御部２３へ表示指示信号を出力する。具体的には、静電パッド制御部２２は、静電パッド１８から出力された接触信号を受け取ると、後述する注意喚起（メッセージＭ）の表示を指示する表示指示信号を表示制御部２３に出力する。また、静電パッド制御部２２は、静電パッド１８の起動時で且つ表示制御部２３に表示指示信号を出力した後において静電パッド１８から接触信号を受け取らない場合には、表示終了信号を表示制御部２３に出力する。
【００２８】
表示制御部２３は、ディスプレイ１６の表示を制御する部分である。表示制御部２３は、操作部１４から出力される信号に応じてディスプレイ１６の表示を制御する。具体的には、表示制御部２３は、操作部１４から出力された起動信号を受け取ると、カメラ１７にて撮影される撮影画像をディスプレイ１６にライブビューとして表示させる。一方、カメラ制御部２１は、操作部１４から出力された終了信号を受け取ると、所定の画面（待ち受け画面等）をディスプレイ１６に表示させる。
【００２９】
また、表示制御部２３は、静電パッド制御部２２から出力された表示指示信号を受け取ると、ディスプレイ１６において撮影画像に指Ｆが写り込んでいることを示す注意喚起を表示させる。具体的には、表示制御部２３は、図６に示すように、例えば「指が写っていませんか？」といったメッセージＭをディスプレイ１６に表示させる。一方、表示制御部２３は、静電パッド制御部２２から表示終了信号を受け取ると、ディスプレイ１６におけるメッセージＭの表示を終了させる。なお、撮影画像に指Ｆが写り込んでいることを示す情報は、メッセージＭに限定されず、例えば画像等であってもよい。
【００３０】
続いて、携帯端末１の動作について、図７を参照しながら説明する。図７は、携帯端末の動作を示すフローチャートである。
【００３１】
図７に示すように、まずユーザからの操作が操作部１４にて受け付けられる（ステップＳ０１）。次に、操作部１４の操作によりカメラ１７が起動されたか否かがカメラ制御部２１にて判定される（ステップＳ０２）。具体的には、カメラ制御部２１では、操作部１４から起動信号を受け取った場合にはカメラ１７が起動されたと判定し、操作部１４から終了信号を受け取った場合にはカメラ１７が起動されたと判定しない。カメラ１７が起動されたと判定された場合には、ステップＳ０３に進む。一方、カメラ１７が起動されたと判定されなかった場合には、ステップＳ０１に戻って処理が繰り返される。
【００３２】
ステップＳ０３では、静電パッド制御部２２によって静電パッド１８が起動される。そして、静電パッド１８が指Ｆの接触を検知したか否かが静電パッド制御部２２にて判定される（ステップＳ０４）。具体的には、静電パッド制御部２２では、静電パッド１８から出力された検知信号を受け取った場合には静電パッド１８が指Ｆの接触を検知したと判定し、検知信号を受け取らない場合には静電パッド１８が指Ｆを検知したと判定しない。静電パッド１８にて指Ｆの接触が検知されたと判定した場合には、ステップＳ０５に進む。一方、静電パッド１８にて指Ｆの接触が検知されたと判定されなかった場合には、ステップＳ０６に進む。
【００３３】
ステップＳ０５では、指Ｆがカメラ１７にかかっている、つまり撮影画像に指Ｆが写り込んでいることを示す注意喚起表示（メッセージＭ）が表示制御部２３によってディスプレイ１６に表示される（図６参照）。
【００３４】
一方、ステップＳ０６では、ディスプレイ１６に注意喚起表示がされているか否かが表示制御部２３によって判定される。ディスプレイ１６に注意喚起表示がされていると判定された場合には、表示制御部２３によってディスプレイ１６の注意喚起表示が終了される（ステップＳ０７）。一方、ディスプレイ１６に注意喚起表示がされていると判定されなかった場合には、ステップＳ０８に進む。
【００３５】
ステップＳ０８では、操作部１４の操作によりカメラ１７が終了されたか否かがカメラ制御部２１によって判定される。カメラ１７が終了されたと判定された場合には、静電パッド制御部２２によって静電パッド１８の動作が終了される（ステップＳ０９）。一方、カメラ１７が終了されたと判定されなかった場合には、ステップＳ０４に戻って処理が繰り返される。
【００３６】
以上説明したように、携帯端末１では、カメラ１７にて画像を撮影しようとする際、カメラ１７のレンズ１７ａの周囲に指Ｆが接触していると静電パッド１８よって検知された場合には、カメラ１７の撮影画像を表示するディスプレイ１６において撮影画像に指Ｆが写り込んでいることを示す注意喚起を表示制御部２３が表示させる。これにより、ユーザ（撮影者）は、指Ｆが写り込んでいることを撮影画像が表示されるディスプレイ１６にて確認できる。また、レンズ１７ａの周囲への指の接触により指を検知しているため、画像処理といった検出方法によって生じる指の誤検出を防止でき、精度の向上を図ることができる。その結果、カメラ１７によって撮影される撮影画像に指Ｆが写り込むことを好適に防止できる。
【００３７】
また、静電パッド１８は、カメラ１７の画角Ｇに指が入り込む範囲において指Ｆを検知するように接触領域Ａが設定されている。静電パッド１８の接触領域Ａを広くすると、撮影画像に指Ｆが写り込むことを確実に防止できる一方、接触面積が大きくなるため撮影する際に端末を持つ位置が限られてしまう。そこで、カメラ１７の画角Ｇに指Ｆが入り込む範囲において指を検知するように接触領域Ａを設定することで、撮影画像への指Ｆの写り込みを確実に防止できると共に、ユーザの利便性を確保することができる。
【００３８】
また、指Ｆの接触を検知する接触検知手段として静電パッド１８を用いることにより、指Ｆの接触を良好に検知することができる。また、カメラ１７のレンズ１７ａと略面一となるように配置できるため、例えば端末の背面から接触検知手段が突出するといった意匠性の低下を防止できる。
【００３９】
本発明は、上記実施形態に限定されるものではない。例えば、上記実施形態では、接触検知手段として静電パッド１８を用いているが、接触検知手段としては他の手段を用いてもよい。
【００４０】
また、上記実施形態では、携帯端末１として携帯電話機を例示したが、携帯端末１は例えばＰＤＡ（Personal Digital Assistant）やデジタルカメラ等であってもよい。
【符号の説明】
【００４１】
１…携帯端末、１６…ディスプレイ（表示手段）、１７…カメラ、１７ａ…レンズ、１８…静電パッド（接触検知手段）、２３…表示制御部（表示制御手段）、Ａ…接触領域、Ｆ…指、Ｇ…画角。
【図１】
2011217101.tif 000003
【図２】
2011217101.tif 000004
【図３】
2011217101.tif 000005
【図４】
2011217101.tif 000006
【図５】
2011217101.tif 000007
【図７】
2011217101.tif 000008
【図６】
2011217101.tif 000009